(57)【要約】【課題】  医薬品を所望する利用者に極めて安全で且つ有益な医薬品情報を提供することのできる医薬品情報提供システム及び医薬品情報提供プログラムの提供。【解決手段】  患者の疾患や症状等の病状情報と該病状情報の疾患や症状に対して効果や効能を有する医薬品の医薬品情報と、該医薬品が含有する成分の成分情報が前記医薬品情報と関連付けされるとともに、前記成分に対する禁忌情報が関連付けされて記憶される記憶手段と、患者の前記禁忌情報と前記病状情報を入力する入力手段と、前記入力手段に於いて入力される前記禁忌情報と前記病状情報を基に、前記医薬品情報を特定する特定手段とを有する。【選択図】  図１
2006276966.tif 000002
【特許請求の範囲】
【請求項１】
患者の疾患や症状等の病状情報と該病状情報の疾患や症状に対して効果や効能を有する医薬品の医薬品情報と、該医薬品が含有する成分の成分情報が前記医薬品情報と関連付けされるとともに、前記成分に対する禁忌情報が関連付けされて記憶される記憶手段と、
患者の前記禁忌情報と前記病状情報を入力する入力手段と、
前記入力手段に於いて入力される前記禁忌情報と前記病状情報を基に、前記医薬品情報を特定する特定手段とを有することを特徴とする医薬品情報提供システム。
【請求項２】
前記特定手段が、
前記入力手段に於いて入力される前記禁忌情報を基に前記記憶手段に格納される前記成分情報を特定する第１特定手段と、
前記第１特定手段に於いて特定された前記成分情報を利用して、前記入力手段に於いて入力される前記病状情報を基に前記医薬品情報を特定する第２特定手段を有することを特徴する請求項１記載の医薬品情報提供システム。
【請求項３】
前記特定手段が、
前記入力手段に於いて入力される前記病状情報を基に前記記憶手段に格納される前記医薬品情報を特定する第３特定手段と、
前記入力手段に於いて入力される前記禁忌情報を基に成分情報を特定し、前記第３特定手段に於いて特定された前記医薬品情報から該成分情報を有する医薬品情報を削除して特定する第４特定手段を有することを特徴とする請求項１記載の医薬品情報提供システム。
【請求項４】
前記記憶手段が禁忌情報及び病状情報を示す複数の選択肢から形成されて記憶され、前記入力手段による禁忌情報及び病状情報の入力が、これら選択肢を選択することにより行われることを特徴とする請求項１乃至３いずれかに記載の医薬品情報提供システム。
【請求項５】
前記医薬品情報は、該医薬品情報の前記医薬品に関する売れ行きや割引等の患者にとって購入の際に有益となる有益情報が付与され、
前記入力手段は、患者が所望する有益条件情報を入力し、
前記特定手段が前記医薬品情報を特定した後に、前記特定された前記医薬品情報から、前記有益条件情報を基に医薬品情報を特定する第５特定手段を有することを特徴とする請求項１乃至３いずれかに記載の医薬品情報提供システム。
【請求項６】
小売店舗に設置される小売店舗端末と前記記憶手段を有する管理サーバが通信ネットワークに接続され、
前記管理サーバが、
前記小売店舗端末が有する前記入力手段からの前記禁忌情報、病状情報及び有益情報を受信する受信手段と、
前記特定手段を有していることを特徴とする請求項１乃至５いずれかに記載の医薬品情報提供システム。
【請求項７】
前記管理サーバが、
前記小売店舗端末から送信される前記小売店舗で販売された医薬品の販売情報を受信する受信手段と、
前記受信手段に於いて受信された前記販売情報を基に有益情報を作成する作成手段と、
前記作成手段に於いて作成された前記有益情報を前記記憶手段に記憶させる更新手段を有することを特徴とする請求項１乃至６に記載の医薬品情報提供システム。
【請求項８】
患者の疾患や症状等の病状情報と該病状情報の疾患や症状に対して効果や効能を有する医薬品の医薬品情報と、該医薬品が含有する成分の成分情報が前記医薬品情報と関連付けされるとともに、前記成分に対する禁忌情報が関連付けされて記憶される記憶手段と、
患者の前記禁忌情報と前記病状情報を入力する入力手段と、
前記入力手段に於いて入力される前記禁忌情報と前記病状情報を基に、前記医薬品情報を特定する特定手段とを有するようにコンピュータを機能させることを特徴する医薬品情報提供プログラム。
【請求項９】
前記特定手段が、
前記入力手段に於いて入力される前記禁忌情報を基に前記記憶手段に格納される前記成分情報を特定する第１特定手段と、
前記第１特定手段に於いて特定された前記成分情報を利用して、前記入力手段に於いて入力される前記病状情報を基に前記医薬品情報を特定する第２特定手段を有するようにコンピュータを機能させることを特徴する請求項８記載の医薬品情報提供プログラム。
【請求項１０】
前記特定手段が、
前記入力手段に於いて入力される前記病状情報を基に前記記憶手段に格納される前記医薬品情報を特定する第３特定手段と、
前記入力手段に於いて入力される前記禁忌情報を基に成分情報を特定し、前記第３特定手段に於いて特定された前記医薬品情報から該成分情報を有する医薬品情報を削除して特定する第４特定手段を有するようにコンピュータを機能させることを特徴とする請求項８記載の医薬品情報提供プログラム。
【請求項１１】
前記記憶手段が、禁忌情報及び病状情報を示す複数の選択肢から形成されて記憶され、前記入力手段による禁忌情報及び病状情報の入力が、これら選択肢を選択することにより行われるようにコンピュータを機能させることを特徴とする請求項８記載の医薬品情報提供プログラム。
【請求項１２】
前記医薬品情報は、該医薬品情報の前記医薬品に関する売れ行きや割引等の患者にとって購入の際に有益となる有益情報が付与され、
前記入力手段は、患者が所望する有益条件情報を入力し、
前記特定手段が前記医薬品情報を特定した後に、前記特定された前記医薬品情報から、前記有益条件情報を基に医薬品情報を特定する第５特定手段を有するようにコンピュータを機能させることを特徴とする請求項８乃至１１いずれかに記載の医薬品情報提供プログラム。
【請求項１３】
前記記憶手段が管理サーバに実装されるとともに小売店舗に設置される小売店舗端末と送受信可能に通信ネットワークを介して接続され、
前記管理サーバが、前記特定手段と前記記録手段を有するように機能させることを特徴とする請求項８乃至１２いずれかに記載の医薬品情報提供プログラム。
【請求項１４】
前記管理サーバが、
前記小売店舗端末から送信される前記小売店舗で販売された医薬品の販売情報を受信する受信手段と、
前記受信手段に於いて受信された前記販売情報を基に有益情報を作成する作成手段と、
前記作成手段に於いて作成された有益情報と前記記憶手段に記憶させる更新手段を有するように機能させることを特徴とする請求項８乃至１３いずれかに記載の医薬品情報提供プログラム。
【発明の詳細な説明】
【技術分野】
【０００１】
本発明は、医薬品情報提供システム及び医薬品情報提供プログラムに関し、より詳しくは、医薬品を所望する利用者に極めて安全で且つ有益な医薬品情報を提供することのできる医薬品情報提供システム及び医薬品情報提供プログラムに関する。
【背景技術】
【０００２】
近年、医薬品の発展に伴い患者の症状等の多種多様な用途に応じる医薬品が開発されている。特に、医薬品を製造する製薬会社毎に多種多様な医薬品が製造されていることは勿論、同一の医薬会社であっても患者の詳細な症状に応じて処方される医薬品が複数存在することが現状である。
このため、患者は自らの症状に応じる医薬品を選択することができず、薬剤師等の専門知識を有する者に頼らざるを得なかった。
【０００３】
このような現状から、専門知識を有する者に頼ることなく患者自らにより医薬品を検索することのできる医薬品検索システムが創出されている（例えば、特許文献１参照）。
この特許文献１に記載される発明は、各自の疾患や症状に応じた一般用医薬品を誰でもが適切且つ迅速に検索することのできることを目的としている。この発明は、疾患や症状或いは効能や効果に関する用語やこの用語に類似する類義語がデータベースに格納され、これらの用語や類義語に応じて一般用医薬品を検索することができるように設定され、患者に適切な医薬品を提供することを目的としている。
【０００４】
しかしながら、この特許文献１に記載される医薬品検索システムでは、疾患や症状に合う医薬品を提供することはできても、投与される患者の健康状態、身体的な特徴や生活状態等の情報が考慮されておらず、提供される医薬品がこの患者にとって安全な医薬品であるか否かの判断を行うことができなかった。
また、この特許文献１に記載される発明は、用語や類義語から一般医薬品を検索し提供することはできても、上記の如き類似の効能や効果を有する医薬品が複数存在する場合には、患者にとって最も推薦することができる医薬品を提供するには到らず、該当する医薬品を羅列する程度のことしかできなかった。
【０００５】
また、一方で、医薬品を取り扱う薬局やコンビニエンスストア等の小売店舗では、医薬品に関する専門知識を有する者が複数待機しているわけではないので、患者や顧客に対して最も効果的な医薬品を提供することができない場合があった。
しかしながら、このような場合のみを解決するためには、特許文献１に記載される如きシステムを店舗内に設置することによって解決することができるが、小売店舗側が顧客にとって最も値打ちのある商品（医薬品）や人気のある商品を提供することができなかった。
【０００６】
【特許文献１】特開２００３−３０３２７号公報
【発明の開示】
【発明が解決しようとする課題】
【０００７】
本発明は、このような実情に鑑みてなされたもので、患者の疾患や症状に応じて極めて安全性の高い医薬品を提供することができ、更には顧客にとって付加価値の高い医薬品を提供することができる医薬品情報提供システム及び医薬品情報提供プログラムを提供する。
【課題を解決するための手段】
【０００８】
請求項１記載の発明は、患者の疾患や症状等の病状情報と該病状情報の疾患や症状に対して効果や効能を有する医薬品の医薬品情報と、該医薬品が含有する成分の成分情報が前記医薬品情報と関連付けされるとともに、前記成分に対する禁忌情報が関連付けされて記憶される記憶手段と、患者の前記禁忌情報と前記病状情報を入力する入力手段と、前記入力手段に於いて入力される前記禁忌情報と前記病状情報を基に、前記医薬品情報を特定する特定手段とを有することを特徴とする医薬品情報提供システムを提供する。
【０００９】
請求項２記載の発明は、前記特定手段が、前記入力手段に於いて入力される前記禁忌情報を基に前記記憶手段に格納される前記成分情報を特定する第１特定手段と、前記第１特定手段に於いて特定された前記成分情報を利用して、前記入力手段に於いて入力される前記病状情報を基に前記医薬品情報を特定する第２特定手段を有することを特徴する請求項１記載の医薬品情報提供システムを提供する。
【００１０】
請求項３記載の発明は、前記特定手段が、前記入力手段に於いて入力される前記病状情報を基に前記記憶手段に格納される前記医薬品情報を特定する第３特定手段と、前記入力手段に於いて入力される前記禁忌情報を基に成分情報を特定し、前記第３特定手段に於いて特定された前記医薬品情報から該成分情報を有する医薬品情報を削除して特定する第４特定手段を有することを特徴とする請求項１記載の医薬品情報提供システムを提供する。
【００１１】
請求項４記載の発明は、前記記憶手段が禁忌情報及び病状情報を示す複数の選択肢から形成されて記憶され、前記入力手段による禁忌情報及び病状情報の入力が、これら選択肢を選択することにより行われることを特徴とする請求項１乃至３いずれかに記載の医薬品情報提供システムを提供する。
【００１２】
請求項５記載の発明は、前記医薬品情報は、該医薬品情報の前記医薬品に関する売れ行きや割引等の患者にとって購入の際に有益となる有益情報が付与され、前記入力手段は、患者が所望する有益条件情報を入力し、前記特定手段が前記医薬品情報を特定した後に、前記特定された前記医薬品情報から、前記有益条件情報を基に医薬品情報を特定する第５特定手段を有することを特徴とする請求項１乃至３いずれかに記載の医薬品情報提供システムを提供する。
【００１３】
請求項６記載の発明は、小売店舗に設置される小売店舗端末と前記記憶手段を有する管理サーバが通信ネットワークに接続され、前記管理サーバが、前記小売店舗端末が有する前記入力手段からの前記禁忌情報、病状情報及び有益情報を受信する受信手段と、前記特定手段を有していることを特徴とする請求項１乃至５いずれかに記載の医薬品情報提供システムを提供する。
【００１４】
請求項７記載の発明は、前記管理サーバが、前記小売店舗端末から送信される前記小売店舗で販売された医薬品の販売情報を受信する受信手段と、前記受信手段に於いて受信された前記販売情報を基に有益情報を作成する作成手段と、前記作成手段に於いて作成された前記有益情報を前記記憶手段に記憶させる更新手段を有することを特徴とする請求項１乃至６に記載の医薬品情報提供システムを提供する。
【００１５】
請求項８記載の発明は、患者の疾患や症状等の病状情報と該病状情報の疾患や症状に対して効果や効能を有する医薬品の医薬品情報と、該医薬品が含有する成分の成分情報が前記医薬品情報と関連付けされるとともに、前記成分に対する禁忌情報が関連付けされて記憶される記憶手段と、患者の前記禁忌情報と前記病状情報を入力する入力手段と、前記入力手段に於いて入力される前記禁忌情報と前記病状情報を基に、前記医薬品情報を特定する特定手段とを有するようにコンピュータを機能させることを特徴する医薬品情報提供プログラムを提供する。
【００１６】
請求項９記載の発明は、前記特定手段が、
前記入力手段に於いて入力される前記禁忌情報を基に前記記憶手段に格納される前記成分情報を特定する第１特定手段と、
前記第１特定手段に於いて特定された前記成分情報を利用して、前記入力手段に於いて入力される前記病状情報を基に前記医薬品情報を特定する第２特定手段を有するようにコンピュータを機能させることを特徴する請求項８記載の医薬品情報提供プログラムを提供する。
【００１７】
請求項１０記載の発明は、前記特定手段が、前記入力手段に於いて入力される前記病状情報を基に前記記憶手段に格納される前記医薬品情報を特定する第３特定手段と、前記入力手段に於いて入力される前記禁忌情報を基に成分情報を特定し、前記第３特定手段に於いて特定された前記医薬品情報から該成分情報を有する医薬品情報を削除して特定する第４特定手段を有するようにコンピュータを機能させることを特徴とする請求項８記載の医薬品情報提供プログラムを提供する。
【００１８】
請求項１１記載の発明は、前記記憶手段が、禁忌情報及び病状情報を示す複数の選択肢から形成されて記憶され、前記入力手段による禁忌情報及び病状情報の入力が、これら選択肢を選択することにより行われるようにコンピュータを機能させることを特徴とする請求項８記載の医薬品情報提供プログラムを提供する。
【００１９】
請求項１２記載の発明は、前記医薬品情報は、該医薬品情報の前記医薬品に関する売れ行きや割引等の患者にとって購入の際に有益となる有益情報が付与され、前記入力手段は、患者が所望する有益条件情報を入力し、前記特定手段が前記医薬品情報を特定した後に、前記特定された前記医薬品情報から、前記有益条件情報を基に医薬品情報を特定する第５特定手段を有するようにコンピュータを機能させることを特徴とする請求項８乃至１１いずれかに記載の医薬品情報提供プログラムを提供する。
【００２０】
請求項１３記載の発明は、前記記憶手段が管理サーバに実装されるとともに小売店舗に設置される小売店舗端末と送受信可能に通信ネットワークを介して接続され、前記管理サーバが、前記特定手段と前記記録手段を有するように機能させることを特徴とする請求項８乃至１２いずれかに記載の医薬品情報提供プログラムを提供する。
【００２１】
請求項１４記載の発明は、前記管理サーバが、前記小売店舗端末から送信される前記小売店舗で販売された医薬品の販売情報を受信する受信手段と、前記受信手段に於いて受信された前記販売情報を基に有益情報を作成する作成手段と、前記作成手段に於いて作成された有益情報と前記記憶手段に記憶させる更新手段を有するように機能させることを特徴とする請求項８乃至１３いずれかに記載の医薬品情報提供プログラムを提供する。
これらの発明を提供することによって、上記課題を悉く解決する。
【発明の効果】
【００２２】
請求項１記載の発明によれば、患者が入力する病状情報と禁忌情報を利用して、医薬品情報を特定することができるので、極めて安全性の高い医薬品情報を患者に提供することができる医薬品情報提供システムを提供する。
特に、小児、高齢者、妊婦や授乳者等の医薬品を使用するに当たって安全性に極めて注意を払わなければならない患者に対して、極めて効果的な医薬品情報を提供することができる。
【００２３】
請求項２記載の発明によれば、患者の禁忌情報を利用して医薬品の成分から医薬品を特定し、特定される医薬品から患者の病状に沿う医薬品を特定することができるので、患者に対して極めて安全性の高く且つ病状に対して最も効果的な医薬品を提供することができる医薬品情報提供システムを提供することができる。
【００２４】
請求項３記載の発明によれば、患者に病状情報から医薬品情報を特定し、この特定された医薬品情報から、患者の禁忌情報に該当する成分情報を含む医薬品情報を削除して医薬品情報を特定するので、患者に対して極めて安全性の高く且つ病状に対して最も効果的な医薬品を提供することができる医薬品情報提供システムを提供することができる。
【００２５】
請求項４記載の発明によれば、禁忌情報及び病状情報が複数の所定選択肢から構成されているので、患者の主観によって禁忌情報及び病状情報が左右されることなく、極めて精度の高い医薬品を提供することができる医薬品情報提供システムを提供することができる。
【００２６】
請求項５記載の発明によれば、医薬品情報が前記医薬品に関する売れ行きや割引率等の顧客の購入の際に有益となる有益情報が付与され、この有益情報を利用して患者の所望する有益条件情報に沿う医薬品を特定することができるので、患者に対して極めて安全性の高く且つ病状に対して最も効果的な効能を有する医薬品であることは勿論、患者の経済的な購買意欲を向上させることができる医薬品を特定することができる医薬品情報提供システムを提供することができる。
【００２７】
請求項６記載の発明によれば、通信ネットワークを介して小売店舗端末から患者が安全性の高く且つ病状に対して最も効果的な医薬品を特定することができる医薬品情報提供システムを提供することができる。
【００２８】
請求項７記載の発明によれば、有益情報が絶えず各小売店舗端末からの情報により更新されることになるので、患者に対して最新の有益情報を提供することができる医薬品情報提供システムを提供することができる。
【００２９】
請求項８記載の発明によれば、患者が入力する病状情報と禁忌情報を利用して、医薬品情報を特定することができるので、極めて安全性の高い医薬品情報を患者に提供することができる医薬品情報提供プログラムを提供する。
特に、小児、高齢者、妊婦や授乳者等の医薬品を使用するに当たって安全性に極めて注意を払わなければならない患者に対して、極めて効果的な医薬品情報を提供することができる。
【００３０】
請求項９記載の発明によれば、患者の禁忌情報を利用して医薬品の成分から医薬品を特定し、特定される医薬品から患者の病状に沿う医薬品を特定することができるので、患者に対して極めて安全性の高く且つ病状に対して最も効果的な医薬品を提供することができる医薬品情報提供プログラムを提供することができる。
【００３１】
請求項１０記載の発明によれば、病状情報から医薬品情報を特定し、この特定された医薬品情報から、患者の禁忌情報に該当する成分情報を含む医薬品情報を削除して医薬品情報を特定するので、患者に対して極めて安全性の高く且つ病状に対して最も効果的な医薬品を提供することができる医薬品情報提供プログラムを提供することができる。
【００３２】
請求項１１記載の発明によれば、禁忌情報及び病状情報が複数の所定選択肢から構成されているので、患者の主観によって禁忌情報及び病状情報が左右されることなく、極めて精度の高い医薬品を提供することができる医薬品情報提供プログラムを提供することができる。
【００３３】
請求項１２記載の発明によれば、医薬品情報が前記医薬品に関する売れ行きや割引率等の顧客の購入の際に有益となる有益情報が付与され、この有益情報を利用して患者の所望する有益条件情報に沿う医薬品を特定することができるので、患者に対して極めて安全性の高く且つ病状に対して最も効果的な医薬品であることは勿論、患者の経済的な購買意欲を向上させることができる医薬品を特定することができる医薬品情報提供プログラムを提供することができる。
【００３４】
請求項１３記載の発明によれば、通信ネットワークを介して小売店舗端末から患者が安全性の高く且つ病状に対して最も効果的な医薬品を特定することができる医薬品情報提供プログラムを提供することができる。
【００３５】
請求項１４記載の発明によれば、有益情報が絶えず各小売店舗端末からの情報により更新されることになるので、患者に対して最新の有益情報を提供することができる医薬品情報提供プログラムを提供することができる。
【発明を実施するための最良の形態】
【００３６】
本発明を実施するための最良の形態を説明する。
本発明に係る医薬品情報提供システム（１）は、入力手段（２）、記憶手段（３）、特定手段（４）、第５特定手段（４３）、出力手段（５）を有してなる。図１は医薬品情報提供システムの構成を示すブロック線図である。
本発明の医薬品情報提供システム（１）は、患者が有する疾患や症状等の病状情報に応じる医薬品に関する情報を提供する際に、病状に応じて適切に且つ極めて安全性の高い医薬品情報を提供することを目的としている。
本明細書で記載される「病状情報」とは、患者が患う疾患、症状等の所謂病気に関する情報であり、例えば、「高血圧、化膿、口内炎、擦り傷、火傷、風邪、発熱、喉の痛み、血栓症、アレルギー、鼻炎、肝障害、心臓病」等を列挙することができる。
本発明書で記載される「医薬品」とは、日本薬局方に載っている薬（漢方薬を含む）、医薬部外品やアロマテラピー用品等の所謂病気を治す薬と患者を癒す用具や用品を指し示し、例えば、「解熱鎮痛剤、抗生物質、葛根湯、除痰剤、栄養剤、消毒剤、ビタミン剤、健康補助食品」を例示することができる。また、この「医薬品」は、市場での価格や市場での名称を付与させて医薬品情報として記憶されていることになる。
【００３７】
入力手段（２）は、本医薬品情報提供システム（１）を利用する患者の病状情報、禁忌情報と有益条件情報を入力する。
これら病状情報、禁忌情報、有益条件情報を入力する方法は、これらの各病状情報、禁忌情報と有益条件情報を複数の選択肢から構成し、患者が該当する選択肢を選択するように設定されることが好ましい。このように各情報の入力を選択肢を利用して、入力させることにより、患者の主観を排除して客観に各情報を入力することができるからである。
尚、これらの選択肢は、後述する記憶手段（３）に病状情報、禁忌情報と有益条件情報として予め記憶されており、入力手段（２）からの要求に応じて各選択肢が出力されるように設定される。
尚、入力手段（２）で入力される情報には、患者の年齢、性別や住所（住居地区）等の属性情報を合わせて入力するように設定することが好ましい。
このように設定することによって、後述する分析手段がこの患者の属性情報と、販売された医薬品情報とを利用して、付加的な情報を出力手段に於いて出力することができる。
この付加的な情報としては、属性情報と医薬品の販売情報を利用して、この患者の住居地区の流行の病気を通知する情報や、患者と同世代の流行の病気を通知することができる。
【００３８】
病状情報は、上記の如く、患者の疾患や症状等の病状の情報である。この病状情報を構成する選択肢には、各病状を選択する選択肢の他に、具体的な数値を利用して表現されるような病状は、その数値の範囲を選択肢により選択するように設定される。例えば、発熱３７．２度の患者は、「発熱あり」の選択肢を選択するとともに「３７〜３７．５度」の選択肢を選択することになる。
図２は、病状情報を選択する場合の選択肢の一実施例を示す。図２では患者の病状が一覧として表示されており、これら一覧から病状が選択されることになる。尚、この一覧表示では、病状によってグループ表示されたり、あいうえお順で表示されたりしても構わない。
【００３９】
禁忌情報は、医薬品が有する服用前の注意事項である。この禁忌情報も病状情報と同様に、複数の選択肢から構成されるとともに記憶手段（３）に記憶され、入力手段（２）の要求により、適宜出力される。
この禁忌情報を構成する選択肢には、例えば、「鎮痛剤により過敏症状（発疹・発赤・かゆみ・浮腫等）の経験が有る」、「１５歳未満である」、「妊娠している」、「授乳中である」、「医師又は歯科医師の治療を受けている」等を列挙することができる。
図３は、禁忌情報を選択する場合の選択肢の一実施例を示す。図３では医薬品に関する禁忌情報が一覧として表示されており、これら一覧から禁忌情報が選択されることになる。尚、この一覧表示では、禁忌情報によってグループ表示されたり、あいうえお順で表示されたりしても構わない。
この禁忌情報は、医薬品を利用する際の注意事項であり、できるだけ詳細に且つ複数これらの禁忌情報を作成することが好ましい。このように禁忌情報を詳細に且つ複数作成することによって、患者に極めて安全的な医薬品を提供することができるからである。
【００４０】
有益条件情報は、患者が実際に医薬品を購入する場合に医薬品購入の決定となる条件である。この有益条件情報とは、後述する有益情報に対応しており、患者の所望する条件に関する情報である。この有益条件情報は、所望値段を有する医薬品の提供を受けるための条件情報、売れ行きの良い医薬品の提供を受けるための条件情報、割引良い（サービスのある）医薬品の提供を受けるための条件情報である。図４は、有益条件情報を選択する場合の選択肢の一実施例を示す。図４では患者が医薬品を購入する場合の所望条件である有益条件情報が一覧として表示されており、これら一覧から有益条件情報が選択されることになる。
【００４１】
記憶手段（３）は、患者の疾患や症状等の病状情報とこの病状情報の疾患や症状に対して効果や効能を有する医薬品の医薬品情報と、医薬品が含有する成分の成分情報が医薬品情報と関連付けされるとともに、前記成分に対する禁忌情報が関連付けされて記憶されている。
この記憶手段（３）は、下記の表１で示される如く医薬品に関する情報が各情報と関連して設定されている。（表１）で示される如く、医薬品情報に対して成分情報、病状情報、効能／効果情報、禁忌情報、値段情報、有益情報が夫々関連付けられて記憶されていることになり、何れかの情報から関連する関連情報を選出することができるようになる。尚、（表１）では、各医薬品が、一成分しか表示していないが、実際の医薬品は多数の成分から構成されており、これら夫々に対する禁忌情報が付与されていることになる。また、この（表１）で示される識別番号は、医薬品に対して付与されている番号であり、各構成（条件）に対して識別するための識別情報（又は番号）を付与して容易に管理することができるように設定されることが好ましい。
【００４２】
【表１】
2006276966.tif 000003
有益情報は、小売店舗主が患者（顧客）に対して提供する顧客にとって有益となる情報である。この有益情報は、例えば、医薬品毎に付与される売れ行きや割引率等の情報である。この売れ行き情報では、この医薬品の最近の売れ行きや販売量が示されており、この医薬品を販売する小売店舗での売れ行きや、後述する通信ネットワークを利用した場合には全ての小売店舗での総販売量等を示している。この売れ行き情報によって患者はこの医薬品の売れ行きや人気等を知ることができる。
割引情報では、この医薬品の割引率やおまけの有無が示されており、この医薬品の割引率や割引後の値段や、他の医薬品と併せて購入すると更に割引される情報、またこの医薬品を購入すると行われるおまけ情報が示している。この割引情報によって患者はこの医薬品を購入することが得するか否かを知ることができる。
また、この割引情報は、この医薬品情報提供システム（１）を利用する小売店舗に於いて適宜設定することができるので、小売店舗主が販売を促進させたいと思う医薬品に対してこの割引情報を設定することにより、患者である顧客に通知することができ、販促効果をもたらすことができる。
尚、この有益情報は、上記する有益条件情報に対応する情報となる。
【００４３】
この医薬品情報には、医薬品の成分と併用すると禁忌となる食品に関する禁忌食品情報が付与されていることが好ましい。
この禁忌食品情報は、上記の禁忌情報に併用禁忌の一例として設定することもできるが、利用者（患者）にとって理解しやすいように個別に設定することが好ましい。この禁忌食品情報は、医薬品の成分と併用すると併用禁忌となる具体的な食品の名前が該当し、例えば、「タバコ、アルコール、コーラ、コーヒー、牛乳、インスタントラーメン、卵、豆腐、食パン、チーズ」等を列挙することができる。
具体的な設定方法としては、解熱鎮痛剤であるアスピリンを含有する医薬品（医薬品情報）に対しては、その成分の作用が低下するまたはその効果が期待できない食品である「コーラ」という情報が、また、総合感冒薬である無水カフェイン（カフェイン）を含有する医薬品に対しては、その成分の作用が増強する又は副作用（頭痛、不眠）が発生する食品である「コーヒー」という情報が付与される。
この禁忌食品情報は、後述する特定手段（４）に於いて特定された場合に、特定された医薬品情報に付随する（リンクさせる）ように表示されるように設定されることができる。尚、禁忌食品情報に該当する理由を更に表示するように設定することが好ましい。
【００４４】
特定手段（４）は、入力手段（２）から入力される禁忌情報と病状情報を基に、患者の医薬品情報を特定し、後述する出力手段（５）に於いて出力する。
尚、この特定手段（４）が医薬品情報を特定する方法としては、禁忌情報から医薬品を特定し、この特定された医薬品情報を除外して病状情報に応じる医薬品情報を特定する第１特定手段と第２特定手段を利用する方法と、病状情報から医薬品情報を特定し、この特定された医薬品情報から禁忌情報を有する医薬品情報を除外して医薬品情報を特定する第３特定手段と第４特定手段を利用する方法がある。
尚、この第１特定手段と第４特定手段が行う禁忌情報を基に成分情報を特定する機能と、第２特定手段と第３特定手段が行う病状情報から医薬品情報を特定する機能は基本的に同じであり、対象となる母集団がことなるだけである。このため、下記の説明では、第１特定手段と第２特定手段を利用する場合を主に説明する。
【００４５】
第１特定手段（４１）は、入力手段（２）からの禁忌情報を受け取ると、この禁忌情報を基に、この禁忌情報を有する成分情報を特定する。第１特定手段（４１）が、禁忌情報を基に成分情報を特定し、この成分情報を第２特定手段（４２）へ転送する。
この第１特定手段（４１）は、禁忌情報から患者にとって禁忌となる成分を特定し、この成分を有する医薬品を特定することができ、医薬品の成分からの禁忌情報を利用するので、患者にとって詳細な禁忌情報を特定することができる。
【００４６】
第２特定手段（４２）は、第１特定手段（４１）に於いて特定された成分情報を利用して、入力手段（２）に於いて入力される病状情報を基に医薬品情報を特定する。
第１特定手段（４２）に於いて特定される成分情報は、患者にとって禁忌に該当する成分であるので、この成分を有する医薬品は患者にとって不適切な医薬品である。このとき、第２特定手段（４２）は、入力手段（２）からの病状情報に関連付けられる医薬品情報を特定するが、これらの医薬品情報の中から第１特定手段（４１）で特定されている成分情報を有する医薬品情報を削除して医薬品情報を特定する。
このように第２特定手段（４２）が医薬品情報の特定を行うので、患者にとって極めて安全な医薬品を特定することができるようになる。
【００４７】
第３特定手段と第４特定手段を利用する場合を説明する。基本的な動作は、上記の第１特定手段と第２特定手段を参照されたし。
第３特定手段は、入力手段（２）に於いて入力される前記病状情報を基に記憶手段（３）に格納される医薬品情報を特定する。
第４特定手段は、入力手段（２）に於いて入力される禁忌情報を基に成分情報を特定し、第３特定手段に於いて特定された医薬品情報から成分情報を有する医薬品情報を削除して医薬品情報を特定する。
【００４８】
第５特定手段（４３）は、第２特定手段（４２）又は第４特定手段に於いて医薬品情報が特定された後に、これらの医薬品情報から入力手段（２）から入力される有益条件情報を基に医薬品情報を特定する。
この第５特定手段（４３）は、患者により入力される有益条件情報を利用して、第２特定手段（４２）により特定された医薬品情報より、患者が所望する形態（値段や売れ行き）を有する医薬品情報を特定することができ、患者に対して最も推薦することのできる医薬品情報を特定することができる。
【００４９】
出力手段（５）は、表示装置等の出力装置であり、特に限定されるものではないが、少なくとも、入力手段（２）に於いて利用される複数の選択肢と、第２特定手段（４２）及び第５特定手段（４３）が特定する特定結果を表示することができる必要がある。
尚、第２特定手段（４２）又は第５特定手段（４３）が特定する医薬品情報が出力手段（５）により表示される場合には、この医薬品が店内の配置されている場所を示す位置情報を合わせて表示するように設定されることが好ましい。この位置情報によって何処に医薬品が配置されている場所を容易に患者が把握することができるからである。この位置情報は、医薬品情報に関連付けられて記憶されることによって実行することができる。
【００５０】
この医薬品情報提供システム（１）は、一台のコンピュータで構成することもできるし、通信ネットワーク（６）を利用して構成することもできる（図５参照）。
この通信ネットワーク（６）を利用して構成される場合には、図１及び図５で示す如く、記憶手段（３）と第１乃至第５特定手段（４１乃至４３）を管理サーバで構成し、各小売店舗に設置される端末を入力手段（２）と出力手段（５）として構成することができる。これら小売店舗端末（８）と管理サーバ（７）はデータを送受信可能に接続されている。
【００５１】
小売店舗端末（８）は、上記の如き入力手段（２）と出力手段（５）の機能を有していれば、特に限定されるものではなく、汎用コンピュータを利用することができ、例えば、デスクトップ型パソコンや携帯端末パソコン、POS端末等を採用することができる。
小売店舗端末（８）は、管理サーバ（７）との情報の送受信を行うための送受信手段を有している。
また、この小売店舗端末（８）は、小売店舗で販売された医薬品の販売情報を管理サーバ（８）へ送信する販売情報送信手段を有している。
この販売情報送信手段は、販売された医薬品に関する情報とこの小売店舗の情報を送信することができる。
【００５２】
図６は、管理サーバの構成を示すブロック線図である。
管理サーバ（７）は、小売店舗端末（８）との情報を送受信することを可能にする送受信手段（図６中には受信手段（７１）のみが示される）を有している。
管理サーバ（７）は、図６で示される如く、受信手段（７１）、作成手段（７２）と更新手段（７３）を有している。
この受信手段（７１）は、小売店舗端末（８）から送信される販売情報と小売店舗の情報を受信し、作成手段（７２）へ送信する。
作成手段（７２）は、受信手段（７１）からの販売情報から、販売された医薬品に関する医薬品情報と有益情報を特定又は作成する。
この作成される医薬品情報と有益情報は、実際に販売される医薬品の売れ行きを解析することができるようになるので、上記の有益情報の売上に関する情報を更新することができる。
このように、有益情報を絶えず更新することができるので、患者である顧客には最新の情報を提供することができるようになる。
【００５３】
管理サーバ（７）は、記憶手段（３）に記憶される販売情報を分析する分析手段（図示せず）を有していることが好ましい。
この分析手段は、販売情報から実際に販売された医薬品や医薬品の種類を統計的に処理することによって、現在流行中の病気を算出したり、複数の小売店舗からの販売情報より各地域に於ける病気の流行を算出したりすることができる。
この解析手段が上記の如き情報を算出し、この算出結果を小売店舗端末（８）へ送信することによって、小売店舗で医薬品を購入しようとして小売店舗端末（８）を操作する患者へ適宜に通知することができ、病気の予防に効果を奏することができる。
尚、解析手段の具体的な動作として、まず所定期間を設定し、販売情報からこの所定期間に於ける売上上位の医薬品を算出し、これらの特定された医薬品の医薬品情報から病状情報を特定する。この特定された病状情報が流行している病気であると推測することができる。
【００５４】
本発明に係る医薬品情報提供システム（１）は、各手段が機能することによって上記作用を促すことで患者に対して安全で且つ効果の高い医薬品情報を提供することができる。このため、上記の如き各手段を有するようにコンピュータ（例えば、小売店舗端末や管理サーバ）を動作可能にプログラムすることによって実行することができる。
【００５５】
本発明に係る医薬品情報提供システムの動作を説明する。
尚、本発明に係る医薬品情報提供プログラムの動作はこのシステムの動作と同様であるので説明を省略する。
この実施例に於いては、医薬品情報提供システム（１）は通信ネットワーク（６）を介して管理サーバ（７）と小売店舗端末（８）が送受信可能に接続されている。
【００５６】
患者が小売店舗に足を運び、自らのための医薬品を探索しようと欲する。
患者は、まず、入力手段（３）により病状情報、禁忌情報及び有益条件情報を入力する。
これらの情報は、上記説明した如く、夫々の情報を入力するための選択肢が小売店舗端末（８）の出力手段（５）が表示されることになる。
病状情報、禁忌情報と有益条件情報は、図２乃至図４で示される如き選択肢から患者の状態に沿って適切に入力される（Ｓ１）。
例えば、このとき、病状情報として「発熱」、禁忌情報として「妊娠中」、有益条件情報として「２０００円以内」と「人気あり」と設定する。
【００５７】
管理サーバ（７）は、これらの情報を受信手段に於いて受信する（Ｓ２）。
まず、第１特定手段（４１）が禁忌情報を基にして、記憶手段（３）からこの禁忌情報を有する成分情報を特定する（Ｓ３）。
禁忌情報から成分情報が特定されるとこの成分情報が第２特定手段（４２）に転送される。
このとき、禁忌情報として「妊娠中」という情報が入力されているので、（表１）の識別番号（２，４，６，９）に含まれる成分がこの患者の禁忌に該当することになる。
【００５８】
第２特定手段（４２）は、第１特定手段（４１）により特定される成分情報から医薬品情報を特定するとともに、入力手段（３）により入力される病状情報を基に医薬品情報を特定する。次いで、第２特定手段（４２）は、病状情報から特定された医薬品情報から、禁忌情報から特定された医薬品情報を削除して、限定される医薬品情報を特定する（Ｓ４）。
尚、この第２特定手段（４２）が上記の如き医薬品情報を特定した後に、これらの医薬品情報を出力手段（５）に於いて出力するように設定しておいても構わない（Ｓ５）。
このとき、第２特定手段（４２）は、「発熱」の病状情報から識別番号（１，２，３，４，５，６，１０）の医薬品情報を特定する。次に、第１特定手段（４１）の成分情報を有する医薬品を削除し、識別番号（１，３，５，１０）の医薬品情報が限定され特定される。
【００５９】
次に、第５特定手段（４３）は、第２特定手段（４２）に於いて特定される医薬品情報から、入力手段（３）の有益条件情報から、この有益条件情報に沿う医薬品情報を特定され（Ｓ６）、この特定された医薬品情報が出力手段（５）に転送されることになる（Ｓ７）。
このとき、第５特定手段（４３）は、「2000円以下」及び「人気がある」という有益条件情報が入力手段（３）により入力されているので、これらの有益条件情報を満たすように第５特定手段（４３）が有益情報を特定し、識別番号（５）の医薬品情報が特定され、この医薬品情報が小売店舗端末（８）に転送され、小売店舗端末（８）の出力手段（５）で表示される。
このようにして、患者の疾患や症状に応じて極めて安全性の高い医薬品を提供することができ、更には顧客にとって付加価値の高い医薬品を提供することができる。
【００６０】
また、本発明は小売店舗端末（８）が販売情報を管理サーバ（７）に送信することになるので、この販売情報を管理サーバ（７）が受信し、この販売情報から作成手段（７２）に於いて医薬品情報と有益情報が作成される。
この作成された作成情報は、更新手段（７３）に於いて記憶手段（３）に於いて更新されることになり、新たなる有益情報が上書きされ絶えず新しい情報に更新することができるようになる。
【図面の簡単な説明】
【００６１】
【図１】医薬品情報提供システムの構成を示すブロック線図である。
【図２】病状情報を選択する場合の選択肢の一実施例である。
【図３】禁忌情報を選択する場合の選択肢の一実施例である。
【図４】有益条件情報を選択する場合の選択肢の一実施例である。
【図５】医薬品情報提供システムを利用する一実施例である。
【図６】管理サーバの構成を示すブロック線図である。
【図７】本発明に係る医薬品情報提供システムの動作を示すフローチャートを示す。
【符号の説明】
【００６２】
１・・・・医薬品情報提供システム
２・・・・入力手段
３・・・・記憶手段
４・・・・特定手段
４１・・・第１特定手段
４２・・・第２特定手段
４３・・・第５特定手段
５・・・・出力手段
６・・・・通信ネットワーク
７・・・・管理サーバ
７１・・・受信手段
７２・・・作成手段
７３・・・更新手段
８・・・・小売店舗端末
【図１】
2006276966.tif 000004
【図２】
2006276966.tif 000005
【図３】
2006276966.tif 000006
【図４】
2006276966.tif 000007
【図５】
2006276966.tif 000008
【図６】
2006276966.tif 000009
【図７】
2006276966.tif 000010